(57)【要約】【課題】電子装置の電源によって提供される電圧量及び／又は電力量を調整する。【解決手段】相互接続部(106)、電子装置（102）、及び電源(104)を備える、本発明の実施形態のシステム(100)が開示される。前記相互接続部は、直流電流（ＤＣ）を搬送するためのものである。前記電子装置は、ＤＣを受けるために前記相互接続部に結合可能であり、前記相互接続部を介して信号を伝送するための通信回路を有する。前記電源は、前記ＤＣを前記電子装置に提供するために前記相互接続部に結合可能であり、前記電子装置から前記相互接続部を介して受信した前記信号を復号化するためのデコーダ回路を有する。【選択図】図２
2005185097.tif 000002
【特許請求の範囲】
【請求項１】
システム（１００）であって、
直流電流（ＤＣ）を搬送するための相互接続部（１０６）と、
ＤＣを受けるために前記相互接続部に対して接続可能な電子装置（１０２）であって、前記相互接続部を介して信号を送信するための通信回路を有する、電子装置と、
前記電子装置に前記ＤＣを提供するために前記相互接続部に対して接続可能な電源（１０４）であって、前記電子装置から前記相互接続部を介して受信した前記信号を、復号化するためのデコーダ回路を有する、電源
とを備える、システム。
【請求項２】
前記電源は、前記相互接続部を介して追加通信信号を送信するための通信回路（２２８）を更に備え、
前記電子装置は、前記電源から前記相互接続部を介して受信した前記追加通信信号を復号化するためのデコーダ回路（２０４）を更に備えることからなる、請求項１に記載のシステム。
【請求項３】
前記通信信号は、高周波パルス幅変調（ＰＷＭ）信号と高周波方形波信号とのうちの１つである、請求項１に記載のシステム。
【請求項４】
前記通信信号は、高周波正弦波信号である、請求項１に記載のシステム。
【請求項５】
前記通信信号は、高周波三角波信号である、請求項１に記載のシステム。
【請求項６】
前記電子装置は、前記通信回路を除く、前記電子装置の構成要素から、前記通信信号を実質的に分離するための少なくとも１つの分離構成要素（２０８）を含む、請求項１に記載のシステム。
【請求項７】
前記電子装置は、イメージ形成装置である、請求項１に記載のシステム。
【請求項８】
前記電源は、前記デコーダ回路を除く、前記電源の構成要素から、前記通信信号を実質的に分離するための少なくとも１つの分離構成要素（２２６）を含む、請求項１に記載のシステム。
【請求項９】
システムであって、
直流電流（ＤＣ）の相互接続部（１０６）と、
主要機能を有し、且つ、ＤＣを受けるために前記相互接続部に対して接続可能な電子装置（１０２）であって、
前記電子装置の前記主要機能を提供するための１つか又は複数の構成要素（２０２）と、
前記相互接続部を介して高周波ＰＷＭ信号を送信するためのパルス幅変調（ＰＷＭ）通信回路（２０６）と、
前記電子装置の前記１つか又は複数の構成要素から、前記高周波ＰＷＭ信号を実質的に分離するための誘導性分離構成要素（２０８）
とを含むことからなる、電子装置と、
電力源から前記電子装置のためのＤＣへと交流電流（ＡＣ）を変換するための、前記相互接続部に対して接続可能な電源（１０４）であって、
１つか又は複数のパラメータに従って、前記ＡＣを前記ＤＣに変換するための、１つか又は複数の構成要素（２２４）と、
前記電子装置から前記相互接続部を介して受信した前記高周波ＰＷＭ信号を、前記１つか又は複数のパラメータに復号化するためのデコーダ回路（２３０）と、
前記電源の前記１つか又は複数の構成要素から、前記高周波ＰＷＭ信号を実質的に分離するための誘導性分離構成要素（２２６）
とを含むことからなる、電源
とを備える、システム。
【発明の詳細な説明】
【技術分野】
【０００１】
本発明は、信号の伝送に関し、特に電源から電子装置へと直流電流を搬送する相互接続部を介した信号の伝送に関する。
【背景技術】
【０００２】
プリンタのようなコンピュータ周辺装置といった電子装置は、現在実行中のタスクに依存して異なる電力量を消費する可能性がある。例えば、インクジェットプリンタ及びレーザープリンタ、並びに、他のタイプのイメージ形成装置が、実際に印刷する時には、それらの装置は通常、装置が印刷をしていない時よりも、より多くの電力を消費する。従って、そのような電子装置のための電源は、これらの装置によって実行されているタスクに依存して異なる電力量を提供する。
【発明の開示】
【発明が解決しようとする課題】
【０００３】
そのような電子装置の電源によって提供される電圧量及び／又は電力量を調整するために、装置は、装置へ供給される電圧及び／又は電力を調整する内部調整器を備えることができる。これは、多くの電源が、安価に製造されるからであり、従って、調整されていないか、甘く調整されたか、又は厳密に調整されていない公称電圧、及び／又は、公称電力を有する。しかしながら、電子装置内に調整器を含めることは、高価になる可能性がある。民生用電子タイプの装置、並びに、あるタイプのイメージ形成装置のような利益マージンが低い電子装置の場合には、電子装置内にこのような調整器を含めることに抵抗があるかもしれない。
【課題を解決するための手段】
【０００４】
相互接続部と電子装置と電源を備える、本発明の実施形態のシステムが開示される。前記相互接続部は、直流電流（ＤＣ）を搬送するためのものである。前記電子装置は、ＤＣを受けるために前記相互接続部に結合可能であり、前記相互接続部を介して信号を伝送するための通信回路を有する。前記電源は、前記ＤＣを前記電子装置に提供するために前記相互接続部に結合可能であり、前記電子装置から前記相互接続部を介して受信した前記信号を復号化するためのデコーダ回路を有する。
【発明の効果】
【０００５】
電子装置に提供される電圧量及び／又は電力量を、より厳密に調整することができる。
【実施例】
【０００６】
ここで参照される図面は、明細書の一部を形成する。図面内に示される特徴は、本発明のほんのいくつかの実施形態の例示として表わされるものであって、別の明確な指示がなされない限り、必ずしも本発明の全ての実施形態の例示であるというわけではない。
【０００７】
本発明の例示的な実施形態の下記の詳細な説明において、本明細書の一部を形成する添付図面が参照される。該添付図面により、実例としての特定の例示的な実施形態が示される。該実施形態によって、本発明が実施される。これらの実施形態は、当業者に、本発明のこれらの実施形態を実施させることができるよう十分詳細に説明される。他の実施形態を利用することができ、本発明の思想か又は範囲を逸脱することなく、論理的変更、機械的変更、及び他の変更を行うことができる。従って、下記の詳細な説明は、制限することを意図するものではなく、本発明の範囲は、添付の特許請求の範囲によってのみ画定される。
【０００８】
概要
図１は、本発明の一実施形態による、システム１００を示す。システム１００は、電子装置１０２と電源１０４とを含む。電子装置１０２は、主要機能を実施する。例えば、主要機能をイメージ形成機能とすることができ、それにより、電子装置１０２は、インクジェットプリンタか、レーザープリンタか、又は別のタイプの印刷装置のようなイメージ形成装置とすることができる。電源１０４は、電力源１１２から交流電流（ＡＣ）を受け、電子装置１０２がその主要機能を実行できるように、該ＡＣを、電子装置１０２に電力供給するための直流電流（ＤＣ）に変換する。電源１０４は、電子装置１０２の内部か又は外部とすることができる。
【０００９】
ＤＣは、電源１０４によって、相互接続部１０６を介して、電子装置１０２に提供される。該相互接続部１０６は、絶縁ケーブルとすることができる。相互接続部１０６は、第２の導線１０８と第１の導線１１０とを含み、前者は、ＤＣが実際にその導線に提供されるものであり、後者は、リターンパスであって、アースに接続される可能性がある。相互接続部１０６はまた、３つ以上の導線を備えることもできる。第２の導線１０８はまた、相互接続部１０６のＤＣレールとして呼ばれることもある。電源１０４は、別の電力線１１４を介して電力源１１２からＡＣを受ける。電力線１１４は、図１において明確には示されてはいない２つか、３つか、又は４つ以上の導線を備えることができる。電力源１１２は、例えば、壁コンセントとすることができ、その壁コンセントの中に電力線１１４が差し込まれる。代替として、電力線１１４を無くすこともでき、それにより、電源１０４それ自体が、電力源１１２に直接プラグイン接続される。
【００１０】
本発明の異なる実施形態において、電源１０４をより大規模な電力供給の１つの段階とみなすことができ、それにより、電源１０４は、以前の電力供給段階によってＡＣから前もって変換されたＤＣを、電子装置１０２に電力供給するために使用されるＤＣへと変換する。更に別の実施形態でおいて、電力源１１２は、電力源１１２がバッテリである時のように、ＡＣの代わりにＤＣを供給することができ、これにより、電源１０４は、こうしたＤＣを、電子装置に電力供給するために使用されるＤＣへと変換することができる。すなわち、電力線１１４は、ＡＣを供給するものとして、簡略化の目的のために本明細書において実質的に記載されているが、ＤＣか又はＡＣを提供することができる。
【００１１】
電子装置１０２は、通信信号を相互接続部１０６を介して電源１０４へと送信することができる。例えば、電子装置１０２は、必要とされる電圧及び／又は電力のレベル、電子装置１０２に供給されるための電圧及び／又は電力のタイプ、提供される電圧調整及び／又は電力調整のタイプ、並びに、フィードバック信号及び他のタイプの信号のような通信信号の他のタイプを、電源１０４に対して指示することができる。これらのフィードバック信号及び他のタイプの信号は、電圧モード及び／又は電力モードを制御するための信号、並びに、ピーク状態及び／又は電圧か又は電力の低下状態（brownout condition）に関する信号を含むことができる。電源１０４はまた、相互接続部１０６を介して電子装置１０２へと通信信号を送信することもできる。
【００１２】
相互接続部１０６を介して伝送される通信信号は、高周波方形波か、正弦波か、又は三角波信号のような高周波信号、並びに、他のタイプの波形及び高周波信号とすることができる。例えば、高周波信号は、パルス幅変調（ＰＷＭ）信号、又は所望のメッセージを符号化するための他のタイプの高周波パルス信号とすることができる。本明細書において使用される時には、波形という用語は、実際には、当業者は明らかであろうように、異なる周波数で互いに重なり合った複数の波形を含むことができる。相互接続部１０６を介して電子装置１０２に供給されるＤＣは、本質的に低周波数で伝送されるので、通信信号の高周波特性によって、通信信号が、導線１０８を介して電子装置１０２に提供されるＤＣと同時に送信されることができる。
【００１３】
電子装置と電源とを有するシステム
図２は、本発明の一実施形態による、より詳細に図１のシステム１００を示す。図１におけるように、システム１００は、相互接続部１０６を通して互いに接続された電子装置１０２と電源１０４とを備える。ここで電源１０４は、電力線１１４を介して電力源１１２に接続されている。電源１０４は、電力線１１４を介して伝送される電力源１１２からの交流電流（ＡＣ）を、直流電流（ＤＣ）へと変換し、且つ、電子装置１０２がその主要機能を実行できるように、相互接続部１０６を介して電子装置１０２へと、そのＤＣを提供する。電子装置１０２は、相互接続部１０６を介して電源１０４へと通信信号を送信することができる。例えば、一実施形態において、通信信号を、相互接続部１０６の第２の導線１０８を介して送信することができる。電源１０４はまた、電子装置１０２へと通信信号を送信することもできる。電源１０４と相互接続部１０６とは、図２において、電子装置１０２の外部のものとして描かれているが、代替の実施形態において、両方とも電子装置１０２の内部にあるものとすることもできる。
【００１４】
電子装置１０２は、主要構成要素２０２、デコーダ回路２０４、通信回路２０６、及びインダクタ２０８を含む。主要構成要素２０２は、電子装置１０２に、その主要機能を実行することを可能にさせる構成要素を含む。例えば、主要構成要素２０２は、インクジェット印刷機構か又はレーザー印刷機構のようなイメージ形成構成要素とすることができるか、或いは該イメージ形成構成要素を含むことができる。その結果、電子装置１０２は、媒体上にイメージ形成（ここでは例えば印刷することなど）を実施することができる。主要構成要素２０２は、相互接続部１０６を介して受けたＤＣを利用して、そのような主要機能を提供する。インダクタ２０８は、より一般的には、分離構成要素か又は高周波フィルタであり、主要構成要素２０２が電子装置１０２の主要機能を実行することができるように、相互接続部１０６を介して伝送される高周波通信信号が、主要構成要素２０２に提供されるＤＣを実質的に妨げないようにする（か又は分離する）。すなわち、インダクタ２０８は、構成要素２０２への高周波通信信号の伝達を弱める。
【００１５】
電子装置１０２の通信回路２０６は、信号生成器２１４とカプラ２１２とを含む。信号生成器２１４は、電子装置１０２の主要構成要素２０２が電源１０４へ伝送することを望んでいる情報を受け取る。次に信号生成器２１４が、この情報を電源１０４に伝送するための通信信号を生成して、該情報をその過程において符号化する。通信信号は、カプラ２１２によって第２の導線１０８に結合され、次に、相互接続部１０６の第２の導線１０８を介して電源１０４へと送られる。
【００１６】
電子装置１０２のデコーダ回路２０４は、信号検出器２１０を含む。デコーダ回路２０４は、それがオプションであり、電子装置１０２内に含める必要がないことを示すために、図２において点線で表示されている。信号検出器２１０は、相互接続部１０６を介して電源１０４によって送られる通信信号を検出し、その信号を主要構成要素２０２へと次に提供される情報に復号化する。
【００１７】
相互接続部１０６は、抵抗器２１６及び２１８と、インダクタ２１９と、コンデンサ２２２とを含むものとして、図２内に描かれている。相互接続部１０６は、相互接続部１０６を介して信号を伝送する時に考えられることができる抵抗と、インダクタンスと、キャパシタンスとを有する伝送線路としてみなされることができる。その結果、抵抗器２１６は、相互接続部１０６の第２の導線１０８の固有抵抗を個別に表す。抵抗器２１８は、同様に、相互接続部１０６の第１の導線１１０の固有抵抗を個別に表す。コンデンサ２２２は、導線１０８と１１０との間の固有キャパシタンスを個別に表わす。インダクタ２１９は、導線１０８と１１０とのインダクタンスを個別に表わす。相互接続部１０６は、電子装置１０２と電源１０４との両方の外部にあるものとして図２において描かれているが、本発明の異なる実施形態において、相互接続部１０６は、代替として、電子装置１０２か又は電源１０４のいずれかの内部に設けることもできる。
【００１８】
電源１０４は、主要構成要素２２４、デコーダ回路２３０、通信回路２２８、及びインダクタ２２６を含む。主要構成要素２２４は、電源１０４に、電力線１１４を介して電力源１１２により提供されるＡＣを、相互接続部１０６を介して電子装置１０２に提供されるＤＣへと変換することを可能にさせる構成要素を含む。主要構成要素２２４は、従って、トランスを含むことができる。インダクタ２２６は、より一般的には、分離構成要素か、又は高周波フィルタであり、主要構成要素のＡＣからＤＣへの変換が影響を及ぼされないように、相互接続部１０６を介して伝送される高周波通信信号が、主要構成要素２２４によって生成されたＤＣを実質的に妨げないようにする（か又は分離する）。すなわち、インダクタ２２６は、構成要素２２４への高周波通信信号の伝達を弱める。
【００１９】
電源１０４のデコーダ回路２３０は、信号検出器２３２を含む。信号検出器２３２は、相互接続部１０６を介して電子装置１０２によって送信される通信信号を検出し、その信号を主要構成要素２２４へと次に提供される情報に復号化する。例えば、電子装置１０２によって送信される高周波通信信号は、パラメータを符号化することができる。そのパラメータに従って、相互接続部１０６を介した電子装置１０２への伝送の場合に、主要構成要素２２４がＡＣをＤＣに変換する。これらのパラメータは、電源１０４が提供し、且つ、電子装置１０２が要求する電力の量と特性とを示すことができる。
【００２０】
電源１０４の通信回路２２８は、信号生成器２３６とカプラ２３４とを含む。通信回路２２８は、それがオプションであり、電源１０４内に含まれる必要がないことを示すために、図２において点線で表示されている。信号生成器２３６は、電源１０４の主要構成要素２２４が電子装置１０２へ伝送することを望んでいる情報を受け取る。次に信号生成器２３６は、この情報を符号化した通信信号を生成する。その通信信号は、カプラ２３４によって第２の導線１０８に結合され、次に、相互接続部１０６の第２の導線１０８を介して電子装置１０２へと送信される。
【００２１】
通信回路
図３と図４とは、本発明の異なる実施形態による、通信回路３００を示す。図３か又は図４の通信回路３００は、図２の電子装置１０２の通信回路２０６、及び／又は、図２の電源１０４の通信回路２２８を実現することができる。一般には、通信回路３００は、相互接続部１０６を介して主要構成要素からの高周波通信信号を伝送する。該高周波通信信号は、相互接続部１０６によって搬送される直流電流（ＤＣ）をほとんど妨げない。何故ならば、ＤＣは本質的には低周波数であるからである。図３は特に、信号結合に関して、電圧の結合を示し、図４は特に、信号結合に関して、電圧の磁気的な結合を示す。
【００２２】
図３において、信号生成器３０２は、主要構成要素から情報を受け取り、参照番号３０６によって示されるように、相互接続部１０６を介して伝送するために、方形波の波形か、三角波の波形か、正弦波の波形か、パルス幅変調（ＰＷＭ）された波形か、又は別のタイプの波形を生成する。この波形は、次に、コンデンサ３０４を介して相互接続部１０６の電界に結合され、それにより、相互接続部１０６を介した通信信号の伝送をもたらすための電圧の結合が達成される。コンデンサ３０４は、図２のカプラ２１２か又はカプラ２３４としての役割を果たすことができる。信号生成器３０２は、第１の導線１１０とコンデンサ３０４との間に接続される。該コンデンサ３０４は、それ自体が、第２の導線１０８に接続される。
【００２３】
図４において、信号生成器３０２は、ここでもまた、参照番号３０６によって示されるように、電力線を介して伝送されるために主要構成要素によって送られることになっている情報に基づくあるタイプの波形を生成する。この波形は、誘導トランス４０４を介して相互接続部１０６の磁界に結合され、それにより、磁界結合か、又は交流（ＡＣ）結合が達成されて、相互接続部１０６を介した通信信号の伝送をもたらす。誘導トランス４０４は、図２のカプラ２１２か又はカプラ２３４としての役割を果たすことができる。信号生成器は、第１の導線１１０と誘導トランス４０４の片側との間に接続され、誘導トランス４０４のもう片側は、第２の導線１０８に接続される。代替として、波形は、第２の導線１０８を介して、電圧として結合されることができるか、或いは電流変動としてか又は電圧変動として導入されることができる。一般に、信号生成器３０２による波形出力は、電圧源か又は電流源のいずれかとしての出力とすることができるということに留意されたい。
【００２４】
デコーダ回路
図５、図６、及び図７は、本発明の異なる実施形態による、デコーダ回路５００を示す。図５か、図６か、又は図７のデコーダ回路５００は、図２の電子装置１０２のデコーダ回路２０４を実行することができ、及び／又は、図２の電源１０４のデコーダ回路２３０を実行することができる。一般に、デコーダ回路５００は、相互接続部１０６を介して高周波通信信号を受信して復号化する。該高周波通信信号は、相互接続部１０６により電子装置１０２に搬送される直流電流（ＤＣ）をほとんど妨げない。何故ならば、ＤＣは本質的には低周波数であるからである。
【００２５】
図５において、デコーダ回路５００は、相互接続部１０６を介して受信した通信信号からの磁界結合されたか、電圧結合されたか、電流結合されたか、又は交流（ＡＣ）結合されたパルス幅変調（ＰＷＭ）波形か又は方形波の波形を検出して復号化することができる信号検出器５０２を備える。次に、復号化された情報は、参照番号５１６によって示されるように、主要構成要素に伝送される。信号検出器５０２は、基本積分回路として互いに接続されたオペアンプ（op amp）５０４と、抵抗器５０６及び５１０と、コンデンサ５０８及び５１２とを含む。それにより、デコーダ回路５００を積分器とみなすことができる。オペアンプ５０４の負の入力は、第２の導線１０８に直列に接続された抵抗器５０６とコンデンサ５０８とを有する。更に、抵抗器５１０とコンデンサ５１２とが、オペアンプ５０４の負の入力とオペアンプ５０４の出力との間に並列に接続される。オペアンプ５０４の出力は、更に、参照番号５１６によって示されるように、主要構成要素に接続される。オペアンプ５０４の正の入力は、第１の導線１１０に接続される。
【００２６】
図６において、デコーダ回路５００の信号検出器５０２は、相互接続部１０６を介して受信した通信信号からの磁界結合されたか又はＡＣ結合された三角波の波形を検出して復号化することができる。前述のように、復号化された情報は、参照番号５１６によって示されるように、主要構成要素に伝送される。信号検出器５０２は、参照番号５１６によって示されるように、第２の導線１０８と主要構成要素との間に直列に接続された、ヒステリシスを有するようなコンデンサ６０４とインバータ６０２とを含む。
【００２７】
図７において、デコーダ回路５００の信号検出器５０２は、相互接続部１０６を介して受信した通信信号からの磁界結合されたか又はＡＣ結合された正弦波の波形を検出して復号化することができる。前述のように、復号化された情報は、参照番号５１６によって示されるように、主要構成要素に伝送される。信号検出器５０２は、オペアンプ７０２と、コンデンサ７０４と、整流器又はダイオード７０６と、抵抗器７０８と、インバータ７１２とを含む。オペアンプ７０２の負の入力は、抵抗器７０８に接続される。抵抗器７１０は、コンデンサ７０４と導線１１０との間に接続される。整流器又はダイオード７０６は、オペアンプ７０２の出力とオペアンプ７０２の負の入力との間に接続される。オペアンプ７０２の正の入力は、コンデンサ７０４に接続される。該コンデンサ７０４は、それ自体が第２の導線１０８に接続される。ヒステリシスを有するようなインバータ７１２は、参照番号５１６によって示されるように、第１の導線１１０と主要構成要素との間に接続される。
【００２８】
方法
図８は、本発明の特定の実施形態による、相互接続部１０６を介して電子装置１０２と電源１０４との間で情報を伝送するための方法８００を示す。例えば、電力パラメータが、電子装置１０２によって一連の高周波パルスに符号化される（８０２）。高周波パルスは、パルス幅変調（ＰＷＭ）された波形、三角波の波形、方形波の波形、正弦波の波形、又は別のタイプの波形とすることができる。例えば、高周波パルスがＰＷＭ波形である場合には、電力パラメータは、パルスへと電子装置１０２によってパルス幅変調される。一連の高周波パルスが、電子装置１０２によって相互接続部１０６を介して伝送される（８０４）。
【００２９】
次に、一連の高周波パルスは、相互接続部１０６を介して電子装置１０２のための電源１０４によって受信される（８０６）。電源１０４は、一連の高周波パルスから電力パラメータを復号化する（８０８）。電源１０４は従って、相互接続部１０６を介した伝送のために、これらの電力パラメータに従って、交流電流（ＡＣ）か又は直流電流（ＤＣ）を、ＤＣか又はＡＣに変換することができる（８１０）。
【００３０】
電源１０４はまた、それ自体が情報を一連の高周波パルスに符号化することができる（８１２）。この一連の高周波パルスはまた、相互接続部１０６を介して伝送される（８１４）。電子装置１０２は、相互接続部１０６を介して一連の高周波パルスを受信し（８１６）、一連のパルスから情報を復号化する（８１８）。情報は従って、電子装置１０２から電源１０４へ、及び／又は、電源１０４から電子装置１０２へと、伝送されることができる。
【００３１】
更に、一連の高周波パルスを、電子装置１０２内の主要構成要素２０２から分離することができ（８２０）、同様に、電源１０４内の主要構成要素２２４から分離することができる（８２２）。例えば、図２において、電子装置１０２のインダクタ２０８は、高周波パルスが重大な影響を与えないようにする、すなわち、高周波パルスが装置１０２の主要構成要素２０２に大量に伝送されないようにする。同様に、図２において、電源１０４のインダクタ２２６は、高周波パルスが影響を与えないようにする、すなわち、高周波パルスが電源１０４の主要構成要素２２４に伝送されないようにする。
【００３２】
結論
特定の実施形態が、本明細書において例示され、説明されてきたが、同じ目的を達成するために計算された任意の配置を、示された特定の実施形態と置き換えることができることが当業者であれば明らかであろうということに留意されたい。
本出願は、本発明の開示された実施形態の任意の変更か又は修正を包含することを意図する。従って、本発明は特許請求の範囲及びその等価物によってのみ制限されることを明白に意図する。
【図面の簡単な説明】
【００３３】
【図１】本発明の一実施形態による、システムの実施形態の概略図である。
【図２】本発明の一実施形態による、図１のシステムよりも、より詳細であるが図１のシステムとは矛盾しない、システムの実施形態の概略図である。
【図３】本発明の様々な実施形態による、図１及び図２のシステム内に用いられることができる通信回路の、異なる実施形態の概略図である。
【図４】本発明の様々な実施形態による、図１及び図２のシステム内に用いられることができる通信回路の、異なる実施形態の概略図である。
【図５】本発明の様々な実施形態による、図１及び図２のシステムの実施形態において用いられることができるデコーダ回路の、異なる実施形態の概略図である。
【図６】本発明の様々な実施形態による、図１及び図２のシステムの実施形態において用いられることができるデコーダ回路の、異なる実施形態の概略図である。
【図７】本発明の様々な実施形態による、図１及び図２のシステムの実施形態において用いられることができるデコーダ回路の、異なる実施形態の概略図である。
【図８】本発明の一実施形態による、方法の実施形態のフローチャートである。
【符号の説明】
【００３４】
１００  システム
１０２  電子装置
１０４  電源
１０６  相互接続部
２０２  構成要素
２０４  デコーダ回路
２０６  パルス幅変調（ＰＷＭ）通信回路
２０８  分離構成要素、誘導性分離構成要素
２２４  構成要素
２２６  分離構成要素、誘導性分離構成要素
２３０  デコーダ回路
２８８  通信回路
【図１】
2005185097.tif 000003
【図２】
2005185097.tif 000004
【図３】
2005185097.tif 000005
【図４】
2005185097.tif 000006
【図５】
2005185097.tif 000007
【図６】
2005185097.tif 000008
【図７】
2005185097.tif 000009
【図８】
2005185097.tif 000010